(57)【特許請求の範囲】
【請求項１】
一枚の段ボールから、直方体の各面が夫々二重壁構造を備えた梱包箱が折上がる様にしたものであって、
前記段ボール１００は、
箱の周壁を構成する側壁面１Ａ〜１Ｄの各下辺及び上辺に、段差箇所Ｔ１を形成する底側片２Ａ，２Ｃ、段差箇所を形成しない底側片２Ｂ，２Ｄ及び段差箇所Ｔ２を形成する蓋側片３Ａ，３Ｃ、段差箇所を形成しない蓋側片３Ｂ，３Ｄを連設した形態を備えており、
前記段差箇所Ｔ１を形成する底側片２Ａ，２Ｃ及び前記段差箇所Ｔ２を形成する蓋側片３Ａ，３Ｃには、夫々箱の内側向きにコ字形に折曲して部分的な二重底及び二重壁構造の部分的な内蓋２０を形成させる平行折り目を設け、
前記二重底及び前記内蓋２０の内側角部に、梱包物品の側端部を嵌合させる前記段差箇所Ｔ１及びＴ２を形成させる為の、所定間隔を隔てた１組のスリット５，２１及びこのスリット間を結ぶ平行折り目を設け、
前記底側片の内、前記段差箇所を形成しない底側片２Ｂ，２Ｄには、内壁面１６を立上用折り目を介して連設した構成を備え、
且つ、前記段差箇所Ｔ１を形成する底側片２Ａ，２Ｃには、前記側壁面１Ａ，１Ｃに添わせて立ち上がらせる起立片１１を連設すると共に、該起立片１１には、側壁面１Ａ，１Ｃに設けた挿込孔４に挿嵌させる挿込片１３を切起状に形成させたことを特徴とする二重壁構造を備えた折畳式梱包箱。
【請求項２】
前記起立片１１には、緩衝機能の調節等の為の切欠部１１ａを設けたことを特徴とする請求項１記載の二重壁構造を備えた折畳式梱包箱。
【発明の詳細な説明】
【０００１】
【発明の属する技術分野】
本発明は、唯一枚の段ボールから簡単・迅速に折上げられて、例えば、コンパクトディスクプレーヤー等の衝撃に敏感な物品を、従来の発泡スチロール製パッキン等のパッキン材を使わずに、確実な緩衝状態で梱包出来る二重壁構造を備えた折畳式梱包箱に関する。
【０００２】
【従来の技術】
従来、衝撃に敏感な電気製品等を段ボール箱を使って梱包する時には、発泡スチロール製パッキンを要所に当てがっていた。
一方、多数枚の段ボール片を貼り合わせて所望の形状にした、積層パッキンも使われて来た。
【０００３】
【発明が解決しようとする課題】
然しながら、発泡スチロールは、貴重な石油資源を浪費する上に、パッキンを廃棄処分する際にも、様々な厄介な問題を生じさせていた。
又、積層パッキンは作製に手間が掛かり過ぎるし、発泡スチロール製のものと同様に嵩張るので、保管・輸送費も嵩むことになる。
そこで本発明の目的は、唯一枚の段ボールから簡単・迅速に折上げられ、然も、箱の折上過程で段ボールの一部をパッキンの形態に折上げられ、従来のパッキン材を併用しなくても、緩衝状態で梱包出来る二重壁構造を備えた折畳式梱包箱を提供するにある。
【０００４】
【課題を解決するための手段】
上記目的を達成する為の、本発明による二重構造を備えた折畳式梱包箱は、一枚の段ボールから、直方体の各面が夫々二重壁構造を備えた梱包箱が折上がる様にしたものであって、前記段ボール１００は、
箱の周壁を構成する側壁面１Ａ〜１Ｄの各下辺及び上辺に、段差箇所Ｔ１を形成する底側片２Ａ，２Ｃ、段差箇所を形成しない底側片２Ｂ，２Ｄ及び段差箇所Ｔ２を形成する蓋側片３Ａ，３Ｃ、段差箇所を形成しない蓋側片３Ｂ，３Ｄを連設した形態を備えており、前記段差箇所Ｔ１を形成する底側片２Ａ，２Ｃ及び前記段差箇所Ｔ２を形成する蓋側片３Ａ，３Ｃには、夫々箱の内側向きにコ字形に折曲して部分的な二重底及び二重壁構造の部分的な内蓋２０を形成させる平行折り目を設け、前記二重底及び前記内蓋２０の内側角部に、梱包物品の側端部を嵌合させる前記段差箇所Ｔ１及びＴ２を形成させる為の、所定間隔を隔てた１組のスリット５，２１及びこのスリット間を結ぶ平行折り目を設け、前記底側片の内、前記段差箇所を形成しない底側片２Ｂ，２Ｄには、内壁面１６を立上用折り目を介して連設した構成を備え、且つ、前記段差箇所Ｔ１を形成する底側片２Ａ，２Ｃには、前記側壁面１Ａ，１Ｃに添わせて立ち上がらせる起立片１１を連設すると共に、該起立片１１には、側壁面１Ａ，１Ｃに設けた挿込孔４に挿嵌させる挿込片１３を切起状に形成させたことを特徴とする。そして、前記起立片１１には、緩衝機能の調節等の為の切欠部１１ａを設けるとよい。
【０００５】
【発明の実施の形態】
以下に、本発明をＣＤプレーヤー（以下、梱包物品という）の梱包箱に適用した一実施例に就いて、図面を参照しながら説明する。
図１に示した形態の唯１枚の段ボール１００から、図１０，図１１に示した様に、梱包物品３００を緩衝支持状態で収納しながら簡単・迅速に折上げられるこの実施例の梱包箱２００は、図９，図１０から理解される様に、直方体状の梱包物品３００の６面が夫々に当接される箇所の全てが、部分的な二重壁構造を備えている。
梱包箱２００は、保管・輸送時には、図３，図４に示した様に偏平に折り畳める。
【０００６】
段ボール１００には、梱包物品３００を緩衝支持する箇所の夫々に部分的な二重壁を備えた、一体構造の梱包箱２００の折上げを可能にする為に、多くの折り目や切れ目を設けているので、その設け方に就いて順次詳述する。
尚、かなり横長の段ボール１００は、その中央部を境にして、左右の各一半部分の形状が同一なので、この一半部分１０１（図２参照）を、糊代片１Ｅを介して２枚続きに貼り合わせることによって、段ボール原反からの打抜加工費等の節減を図っている。
【０００７】
図１に示した様に、段ボール１００は、箱の周壁を構成する４つの側壁面１Ａ〜１Ｄの、各下辺及び上辺に、底側片２Ａ〜２Ｄ、及び蓋側辺３Ａ〜３Ｄを、折り目Ａ及びＢを介して夫々連設した形態を備えている。１Ｅは、側壁面１Ａ〜１Ｄを角筒状に連結させる糊代片である。
側壁面１Ａ，１Ｃの真ん中箇所には、スリット状の挿込孔４（図２参照）を夫々設けている。
【０００８】
段ボール１００の一半部分１０１を示した図２に於いて、底側片２Ａ（２Ｃ）には、箱の内向きにコ字形に折曲して部分的な二重底を形成させる為の平行折り目Ｃ１，Ｃ２を設けている。
そして、平行折り目Ｃ２の両端近くには、この折り目の両側に跨がらせて、所定長さのスリット５，５を平行状に設け、この両スリット間は、平行折り目Ｃ２を欠如させている。
両スリット５，５間には、この間の部分を上下方向にＬ形に折曲して、図８に示した様に、内底面６と内壁面７とを備えた上向きの段差箇所Ｔ１を形成させる為の、平行折り目Ｄ１〜Ｄ３を設けている。
【０００９】
又、内底面６の真ん中部分には、コ字形切れ目８を、その両脚端が折り目Ｄ２に接する様に設け、且つ、両脚間は折り目Ｄ２を欠如させている。
これによって、コ字形切れ目８に囲まれた垂下片９を形成させている。１０は指掛孔である。
【００１０】
更に、底側片２Ａ（２Ｃ）の下縁（図２中で）には、側壁面１Ａ（１Ｃ）に添わせた状態で立ち上がらせる起立片１１を、立上用折り目Ｅを介して連設している。起立片１１には、その左右両端部分を残して、起立状態での上縁側に切欠部１１ａを設けて、その緩衝機能の調整等を図っている。
又、起立片１１の底辺側の真ん中部分には、偏平なコ字形切れ目１２を、その両脚端が折り目Ｅに接する様に設け、且つ、両脚間は折り目Ｅを欠如させている。
これによって、コ字形切れ目１２に囲まれた挿込片１３を形成させている。
【００１１】
起立片１１は、梱包物品の種類によっては、起立させずに、段差箇所Ｔ１の頂面１４上に折り重ねた状態にすることも想定している。
【００１２】
底側片２Ｂ（２Ｄ）にも、箱の内側向きにコ字形に折曲して、部分的な二重底を形成させる為の平行折り目Ｆ１，Ｆ２を設けている。
この二重底が、梱包箱２００の折上過程で、底側片２Ａ（２Ｃ）によって形成させた前記の部分的な二重底と干渉するのを避ける為に、図２に示した様に、底側片２Ｂ（２Ｄ）は、上下方向の真ん中部分を左右両側からくびれさせた鼓形にしている。
【００１３】
底側片２Ｂ（２Ｄ）の下縁と平行折り目Ｆ２との間の、部分的な内底面１５となる部分の下縁には、内壁面１６を、立上用折り目Ｇを介して連設している。
内壁面１６の立上状態での上縁には、緩衝機能調整等用の切欠１６ａを複数箇所に設けている。
【００１４】
一方、蓋側片３Ａ（３Ｃ）にも、各蓋側片を箱の内向きにコ字形に折曲して、図９，図１０に示した様に、二重壁構造を備えた部分的な内蓋２０を形成させる為の、平行折り目Ｈ１，Ｈ２を設けている。
そして、平行折り目Ｈ２の両端近くには、この折り目の両側に跨がらせて、Ｌ形のスリット２１を対称状の配置で設け、この両スリット間は平行折り目Ｈ２を欠如させている。
【００１５】
両スリット２１，２１間には、この間の部分を上下方向にＬ形に折曲して、図９，１０に示した様に、内蓋面２２と内壁面２３とを備えた下向きの段差箇所Ｔ２を形成させる為の、平行折り目Ｉ１〜Ｉ３を設けている。
更に、段差箇所Ｔ２の両側端に、図９に示した様に、折曲片２４を夫々当てがった状態にする為に、スリット２１の外側には、折曲片２４を形成させる為の切れ目２５及び折り目２６を設けている。
【００１６】
次に、段ボール１００から、梱包箱２００を組立てながら、梱包物品３００を緩衝支持状態で梱包する手順に就いて説明する。
先ず、図２に示した様に、左右に二分割して、原反から打抜裁断加工して作られた各一半部分１０１を、重ね合わせながら、２箇所の糊代片１Ｅによって角筒状に連結させれば、図３，図４に示した様に偏平に潰した状態の梱包箱２００が出来上がる。
尚、この連結に先立って、一半部分１０１の各折り目を、夫々所定の折曲方向に予め折癖を付けて置くとよい。
【００１７】
梱包作業は、先ず、図５に示した様に、折畳まれている梱包箱２００の側壁面１Ａ〜１Ｄを角筒状に展開させる。
そして、図６〜図８に示した様に、底側片２Ｂ，２Ｄを、夫々、平行折り目Ｆ１，Ｆ２に沿って箱の内向きにコ字形に折曲させ、且つ、内壁面１６を立上用折り目Ｇに沿って起立させれば、１組の内底面１５，１５を備えた二重底の一部が形成される。
【００１８】
次に、図８，図９に示した様に、底側片２Ａ，２Ｃを、平行折り目Ｃ１，Ｃ２に沿って箱の内向きにコ字形に夫々折曲させながら、起立片１１を折り目Ｅに沿って折曲起立させる。
この時、折曲し残された挿込片１３を側壁面１Ａ，１Ｃに設けた挿込孔４に挿嵌させる。
これによって、底側片２Ａ，２Ｃのコ字形の折曲形状は確実に固定されて、上方からの強い押圧力にも耐えられる様になる。
【００１９】
上記の折曲操作と同時に、又は、それに続いて、左右のスリット５，５間の部分を、平行折り目Ｄ１〜Ｄ３に沿って内向きにＬ形に折曲させる。これによって、上向きの段差箇所Ｔ１が形成される。
段差箇所Ｔ１は、梱包物品３００の両側端の下側隅角部分を嵌め込ませて緩衝支持する役割を果させる為のものである。
【００２０】
底側片２Ａ，２Ｃを上述の如くして折曲させる際に、底側片２Ｂ，２Ｄ側に設けた内壁面１６の両側端は、図８に示した様に、両スリット５，５に挿し込ませて、その起立状態に保たせる。
そして、折曲し残された垂下片９は、内底面６を緩衝的に支承する役割を果す。
【００２１】
この段階で、蓋を開いた状態に折上がった梱包箱２００には、内底面６，６及び１５，１５を備えた二重底が形成される。
そこで、図１０に示した様に、梱包物品３００をこの二重底の上に載せて、その両側端の下側隅角部を、箱内の左右両側に形成されている各段差箇所Ｔ１に夫々嵌め込ませる。
【００２２】
次に、図９，図１０に示した様に、梱包物品３００の上面側を緩衝状態で保護する為の、１組の内蓋２０，２０を形成させる。
それには、蓋側片３Ａ，３Ｃを、夫々、平行折り目Ｈ１，Ｈ２に沿って内向きにコ字形に折曲させて行く。
それと同時に、図９に示した様に、１組のスリット２１，２１の間の部分を、平行折り目Ｉ１〜Ｉ３に沿って内向きにＬ形に折曲し、内蓋面２２と内壁面２３を備えた下向き段差箇所Ｔ２，Ｔ２を形成させる。
【００２３】
形成された１組の内蓋２０，２０を、梱包物品３００の上に覆せ終えると、図１０に示した様に、梱包物品３００の両側端の上側隅角部が、段差箇所Ｔ２に夫々嵌め込まれた状態になる。
この嵌込みに伴って、各スリット２１の外側に設てある未だ折曲されていない折曲片２４が、梱包物品３００に押し退けられて直角に折れ曲がる。
これによって、梱包物品３００の両側端の前面及び後面が、折曲片２４によって夫々緩衝的に受け支えられた状態になる（図９，１０参照）。
【００２４】
そこで最後に、１組の内蓋２０，２０の上に、図１１に示した様に、蓋側片３Ｂ，３Ｄを折り重ねれば、上記の繁雑な折上操作の説明と異なって、梱包物品３００の両側端部を夫々緩衝支持する、二重壁構造を備えてパッキンの役割を果す各１組の段差箇所Ｔ１，Ｔ２の折上操作を含めて、一連の梱包作業を極めて簡単・迅速に終えることが出来る。
【００２５】
用済みの梱包箱２００を折畳むには、箱の底を押し下げて、底側片２Ａ〜２Ｄ及び蓋側片３Ａ〜３Ｄを、平坦な状態に起立させながら、図３，４に示した形態に押し潰せばよい。
その際に、各底側片２Ａ〜２Ｄは内向きに折曲して、周壁面１Ａ〜１Ｄの内側に重合させてもよい。
【００２６】
尚、上記構成に於いて、細部の構造は適宜に変更しても本発明の目的は達成される。
例えば、各折り目や切れ目の設け方は、特許請求の範囲に記載された構成要素を備える限りに於いて、個々の梱包物品の形状・寸法に応じて適宜に変更すればよい。
【００２７】
【発明の効果】
以上の説明によって明らかな様に、本発明による二重壁構造を備えた折畳式梱包箱は、以下に列挙した如き実用上の優れた効果を奏する。
（ａ）  １枚の段ボールを折曲するだけで、底面、周壁面及び蓋面の夫々に、梱包物品を緩衝支持する為の、部分的な二重壁構造を備えた梱包箱を簡単・迅速に折上げられる。
（ｂ）  箱とは別体に作られる、発泡スチロールや段ボール製の従来の嵩張るパッキンが不要化するので、保管・輸送費や在庫管理費を顕著に節減出来る。
（ｃ）  そして、発泡スチロール製パッキンの重大な欠点である、貴重な石油資源の浪費や、廃棄処理上の問題も解消する。
（ｄ）  二重底の内底面に連設されて、側壁面に沿って立ち上がる起立片が、大きな荷重による内底面の落ち込みを確実に防いでくれる。
（ｅ）  起立片は、切欠部１１ａを設けたり、この起立片を横倒し状態にする等して、その緩衝機能を任意に調節出来る。
【図面の簡単な説明】
【図１】本発明の一実施例を示すもので、梱包箱の素材となる段ボールの平面図である。
【図２】同上、段ボールの一半部分の拡大平面図である。
【図３】同上、梱包箱を折畳んだ状態の斜視図である。
【図４】同上、梱包箱を折畳んだ状態の平面図である。
【図５】同上、折畳状態から、角筒状に展開させた状態を下方から見た斜視図である。
【図６】同上、梱包箱の二重底を折上げつつある状態を、底側から見た斜視図である。
【図７】同上、一方の対向側壁に連設した各底側片をコ字形に折曲して、部分的な二重底を折上げ始めた状態を示す斜視図である。
【図８】同上、上記の二重底を折上げ終え、且つ、他方の対向側壁に連設した各底側片も、部分的な二重底に折上げた状態の斜視図である。
【図９】同上、一方の対向側壁に連設した各蓋側片をコ字形に折曲して、二重壁構造を備えた部分的な内蓋を形成させつつある状態の斜視図である。
【図１０】同上、折上げた二重底の上に梱包物品を載せたうえ、両内蓋を被せた状態の斜視図である。
【図１１】同上、蓋を閉じて梱包を終えた梱包箱の斜視図である。
【符号の説明】
１００  段ボール
１０１  一半部分
２００  梱包箱
３００  梱包物品
１Ａ〜１Ｄ  側壁面
１Ｅ  糊代片
２Ａ〜２Ｄ  底側片
３Ａ〜３Ｄ  蓋側片
４  挿込孔
５，２１，  スリット
６，１５  内底面
７，１６  内壁面
８，１２，  コ字形切れ目
９  垂下片
１０  指掛孔
１１  起立片
１１ａ  切欠部
１３  挿込片
１４  切欠部
２０  内蓋
２２  内蓋面
２３  内壁面
２４  折曲片
２５  切れ目
２６  折り目
Ａ，Ｂ  折り目
Ｃ１，Ｃ２  Ｄ１〜Ｄ３  平行折り目
Ｅ，Ｇ  立上用折り目
Ｆ１，Ｆ２，Ｈ１，Ｈ２，Ｉ１〜Ｉ３  平行折り目
Ｔ１〜Ｔ２  段差箇所
【図１】
0003851698.tif 000002
【図２】
0003851698.tif 000003
【図３】
0003851698.tif 000004
【図４】
0003851698.tif 000005
【図５】
0003851698.tif 000006
【図６】
0003851698.tif 000007
【図７】
0003851698.tif 000008
【図８】
0003851698.tif 000009
【図９】
0003851698.tif 000010
【図１０】
0003851698.tif 000011
【図１１】
0003851698.tif 000012